(57)【要約】【課題】広色域画像データの伝送を良好に行い得るようにする。【解決手段】送信装置（ソース機器）は、受信装置（シンク機器）に、伝送路を介して、広色域画像データを送信する。その際に、送信装置（ソース機器）は、受信装置（シンク機器）に、伝送路を介して、その広色域画像データの付加情報およびこの付加情報の伝送方式情報を送信する。例えば、送信装置は、受信装置が対応可能な広色域画像データの付加情報の伝送方式情報を受信し、受信装置が対応可能な伝送方式から所定の伝送方式を選択する。【選択図】図９
2015106761.tif 000002
【特許請求の範囲】
【請求項１】
広色域画像データを、伝送路を介して外部機器に送信するデータ送信部と、
上記データ送信部で送信される広色域画像データの付加情報および該付加情報の伝送方式情報を、上記伝送路を介して上記外部機器に送信する情報送信部とを備える
送信装置。
【請求項２】
上記データ送信部は、上記外部機器に、上記広色域画像データを、差動信号により、上記伝送路を介して送信する
請求項１に記載の送信装置。
【請求項３】
上記情報送信部は、上記データ送信部で送信される広色域画像データの付加情報の伝送方式情報を、該広色域画像データのブランキング期間に挿入することで、上記外部機器に送信する
請求項２に記載の送信装置。
【請求項４】
上記情報送信部は、上記データ送信部で送信される広色域画像データの付加情報を、該広色域画像データのブランキング期間に挿入することで、上記外部機器に送信する
請求項２に記載の送信装置。
【請求項５】
上記情報送信部は、上記伝送路の所定ラインを用いて構成される双方向通信路を介して、上記データ送信部で送信される広色域画像データの付加情報を上記外部機器に送信する
請求項２に記載の送信装置。
【請求項６】
上記双方向通信路は一対の差動伝送路であり、該一対の差動伝送路のうち少なくとも一方は直流バイアス電位によって上記外部機器から接続状態の通知を受ける機能を有する
請求項５に記載の送信装置。
【請求項７】
上記広色域画像データの付加情報は、該広色域画像データの白色度点の輝度レベル情報、白色度点のＸＹＺ座標によるベクトル値、ＲＧＢ色度点のＸＹＺ座標によるベクトル値、ＲＧＢ以外の１つ以上の色度点のＸＹＺ座標によるベクトル値の少なくとも１つを含む
請求項１に記載の送信装置。
【請求項８】
上記外部機器から上記伝送路を介して送られてくる、該外部機器が対応可能な広色域画像データの付加情報の伝送方式情報を受信する伝送方式情報受信部と、
上記伝送方式情報受信部で受信された伝送方式情報に基づいて、上記外部機器が対応可能な広色域画像データの付加情報の伝送方式から所定の伝送方式を選択する伝送方式選択部とをさらに備え、
上記情報送信部は、上記広色域画像データの付加情報を、伝送方式選択部で選択された伝送方式で、上記伝送路を介して上記外部機器に送信する
請求項１に記載の送信装置。
【請求項９】
データ送信部により、広色域画像データを、伝送路を介して外部機器に送信するデータ送信ステップと、
上記データ送信ステップで送信される上記広色域画像データの付加情報および該付加情報の伝送方式情報を、上記伝送路を介して上記外部機器に送信する情報送信ステップとを有する
広色域画像データ送信方法。
【請求項１０】
コンピュータを、
広色域画像データを、伝送路を介して外部機器に送信するデータ送信手段と、
上記データ送信手段で送信される上記広色域画像データの付加情報および該付加情報の伝送方式情報を、上記伝送路を介して上記外部機器に送信する情報送信手段と
して機能させるプログラム。
【請求項１１】
外部機器から、伝送路を介して、広色域画像を表示するための広色域画像データを受信するデータ受信部と、
上記外部機器から、上記データ受信部で受信される広色域画像データの付加情報の伝送方式情報を受信すると共に、該伝送方式情報に基づいて該広色域画像データの付加情報を受信する情報受信部と、
上記情報受信部で受信された広色域画像データの付加情報を用いて、上記データ受信部で受信された広色域画像データを処理するデータ処理部とを備える
受信装置。
【請求項１２】
上記データ受信部は、上記外部機器から、差動信号により、上記伝送路を介して、上記広色域画像データを受信する
請求項１１に記載の受信装置。
【請求項１３】
上記情報受信部は、上記データ受信部で受信された広色域画像データのブランキング期間から、該広色域画像データの付加情報の伝送方式情報を抽出する
請求項１２に記載の受信装置。
【請求項１４】
上記情報受信部は、上記データ受信部で受信された広色域画像データのブランキング期間から、該広色域画像データの付加情報を抽出する
請求項１２に記載の受信装置。
【請求項１５】
上記情報受信部は、上記データ受信部で受信された上記広色域画像データの付加情報を、上記外部機器から、上記伝送路の所定ラインを用いて構成される双方向通信路を介して受信する
請求項１２に記載の受信装置。
【請求項１６】
上記双方向通信路は一対の差動伝送路であり、該一対の差動伝送路のうち少なくとも一方は直流バイアス電位によって上記外部機器に接続状態を通知する機能を有する
請求項１５に記載の受信装置。
【請求項１７】
自身が対応可能な広色域画像データの付加情報の伝送方式情報を記憶しておく伝送方式情報記憶部と、
上記伝送方式情報記憶部に記憶されている伝送方式情報を、上記伝送路を介して上記外部機器に送信する伝送方式情報送信部とをさらに備える
請求項１１に記載の受信装置。
【請求項１８】
上記伝送方式情報記憶部に記憶されている伝送方式情報は、ＧＢＤパケット情報、ＶＳＩＦパケット情報、ＡＶＩＦパケット情報、ＨＥＣパケット情報の少なくとも１つである
請求項１７に記載の受信装置。
【請求項１９】
データ受信部により、外部機器から、上記伝送路を介して、広色域画像データを受信するデータ受信ステップと、
上記外部機器から、上記データ受信ステップで受信される広色域画像データの付加情報の伝送方式情報を受信すると共に、該伝送方式情報に基づいて該広色域画像データの付加情報を受信する情報受信ステップと、
上記情報受信ステップで受信された広色域画像データの付加情報を用いて、上記データ受信ステップで受信された広色域画像データを処理するデータ処理ステップとを有する
広色域画像データ受信方法。
【請求項２０】
コンピュータを、
外部機器から、伝送路を介して、広色域画像を表示するための広色域画像データを受信するデータ受信手段と、
上記外部機器から、上記データ受信手段で受信される広色域画像データの付加情報の伝送方式情報を受信すると共に、該伝送方式情報に基づいて該広色域画像データの付加情報を受信する情報受信手段と、
上記情報受信手段で受信された広色域画像データの付加情報を用いて、上記データ受信手段で受信された広色域画像データを処理するデータ処理手段と
して機能させるプログラム。
【発明の詳細な説明】
【技術分野】
【０００１】
本技術は、送信装置、広色域画像データ送信方法、受信装置、広色域画像データ受信方法およびプログラムに関し、詳しくは、ワイドカラーガンマ画像データなどの広色域画像データを送信する送信装置等に関する。
【背景技術】
【０００２】
近年、例えば、ＤＶＤ（Digital Versatile Disc）レコーダや、セットトップボックス、その他のＡＶソース（Audio Visual Source）から、テレビ受信機、プロジェクタ、その他のディスプレイに対して、デジタル映像信号、すなわち、非圧縮（ベースバンド）の映像信号（画像データ）と、その映像信号に付随するデジタル音声信号（音声データ）とを、高速に伝送する通信インタフェースとして、ＨＤＭＩ（High Definition Multimedia Interface）が普及しつつある。なお、「ＨＤＭＩ」は登録商標である。
【０００３】
例えば、ソース機器としてのディスクプレーヤとシンク機器としてのテレビ受信機とを、ＨＤＭＩ接続したＡＶシステムなどが考えられるが、ディスクプレーヤに記録された画像データは、画像フォーマット毎に固定化された色域内で、表示装置で表示されることを想定しカラー調整されている。
【０００４】
一方、表示装置の色域はｓＲＧＢやｘｖＹＣＣ等、比較的色域が狭い。そのため、オリジナルの画像の色域が表示装置の画像信号処理により、画像制作者の意図を反映できない色域で表現されてしまう。
【０００５】
そこで、画像データを画像フォーマット毎に固定化された色域を超えて色域処理を行うワイドカラーガンマ（ＷＣＧ：Wide Color Gamut）色域が提案され、ポスト処理では実用化されている。例えば、特許文献１には、カラースペース（色域）の設定におけるディスプレイとＤＶＤプレイヤ間の操作性に関する提案がされている。
【先行技術文献】
【特許文献】
【０００６】
【特許文献１】特許第４２２５３３号公報
【発明の概要】
【発明が解決しようとする課題】
【０００７】
従来、ＨＤＭＩ等のデジタルインタフェースでのワイドカラーガンマ画像データの伝送仕様については提案されている。しかし、ＲＧＢ３点の色度情報のみが規定されており、その色域を超える色域の指定には対応できていなかった。
【０００８】
本技術の目的は、広色域画像データの伝送を良好に行い得るようにすることにある。
【課題を解決するための手段】
【０００９】
本技術の概念は、
広色域画像データを、伝送路を介して外部機器に送信するデータ送信部と、
上記データ送信部で送信される広色域画像データの付加情報および該付加情報の伝送方式情報を、上記伝送路を介して上記外部機器に送信する情報送信部とを備える
送信装置にある。
【００１０】
本技術において、データ送信部により、広色域画像データが、伝送路を介して外部機器に送信される。例えば、データ送信部は、外部機器に、広色域画像データを、差動信号により、伝送路を介して送信する、ようにされてもよい。
【００１１】
情報送信部により、データ送信部で送信される広色域画像データの付加情報およびこの付加情報の伝送方式情報が、伝送路を介して外部機器に送信される。例えば、広色域画像データの付加情報は、この広色域画像データの白色度点の輝度レベル情報、白色度点のＸＹＺ座標によるベクトル値、ＲＧＢ色度点のＸＹＺ座標によるベクトル値、ＲＧＢ以外の１つ以上の色度点のＸＹＺ座標によるベクトル値の少なくとも１つを含む、ようにされてもよい。
【００１２】
例えば、情報送信部は、データ送信部で送信される広色域画像データの付加情報の伝送方式情報を、この広色域画像データのブランキング期間に挿入することで、外部機器に送信する、ようにされてもよい。また、例えば、情報送信部は、データ送信部で送信される広色域画像データの付加情報を、この広色域画像データのブランキング期間に挿入することで、外部機器に送信する、ようにされてもよい。
【００１３】
また、例えば、情報送信部は、伝送路の所定ラインを用いて構成される双方向通信路を介して、データ送信部で送信される広色域画像データの付加情報を外部機器に送信する、ようにされてもよい。そして、この場合、双方向通信路は一対の差動伝送路であり、この一対の差動伝送路のうち少なくとも一方は直流バイアス電位によって外部機器から接続状態の通知を受ける機能を有する、ようにされてもよい。
【００１４】
このように本技術においては、広色域画像データが伝送路を介して外部機器に送信されると共に、この広色域画像データの付加情報およびこの付加情報の伝送方式情報が同じ伝送路を介して外部機器に送信されるものであり、広色域画像データの伝送を良好に行うことができる。
【００１５】
なお、本技術において、例えば、外部機器から上記伝送路を介して送られてくる、この外部機器が対応可能な広色域画像データの付加情報の伝送方式情報を受信する伝送方式情報受信部と、この伝送方式情報受信部で受信された伝送方式情報に基づいて、外部機器が対応可能な広色域画像データの付加情報の伝送方式から所定の伝送方式を選択する伝送方式選択部とをさらに備え、情報送信部は、広色域画像データの付加情報を、伝送方式選択部で選択された伝送方式で、伝送路を介して外部機器に送信する、ようにされてもよい。この場合、外部機器は、広色域画像データの付加情報を、確実に受信することが可能となる。
【００１６】
また、本技術の他の概念は、
外部機器から、伝送路を介して、広色域画像を表示するための広色域画像データを受信するデータ受信部と、
上記外部機器から、上記データ受信部で受信される広色域画像データの付加情報の伝送方式情報を受信すると共に、該伝送方式情報に基づいて該広色域画像データの付加情報を受信する情報受信部と、
上記情報受信部で受信された広色域画像データの付加情報を用いて、上記データ受信部で受信された広色域画像データを処理するデータ処理部とを備える
受信装置にある。
【００１７】
本技術において、データ受信部により、外部機器から、伝送路を介して、広色域画像を表示するための広色域画像データが受信される。例えば、データ受信部は、外部機器から、差動信号により、伝送路を介して、広色域画像データを受信する、ようにされてもよい。
【００１８】
情報受信部により、外部機器から、データ受信部で受信される広色域画像データの付加情報の伝送方式情報が受信されると共に、この伝送方式情報に基づいてこの広色域画像データの付加情報が受信される。そして、データ処理部により、情報受信部で受信された広色域画像データの付加情報が用いられて、データ受信部で受信された広色域画像データが処理される。
【００１９】
例えば、情報受信部では、データ受信部で受信された広色域画像データのブランキング期間から、この広色域画像データの付加情報の伝送方式情報を抽出する、ようにされてもよい。また、例えば、情報受信部は、データ受信部で受信された広色域画像データのブランキング期間から、この広色域画像データの付加情報を抽出する、ようにされてもよい。
【００２０】
また、例えば、情報受信部は、データ受信部で受信された広色域画像データの付加情報を、外部機器から、伝送路の所定ラインを用いて構成される双方向通信路を介して受信する、ようにされてもよい。そして、この場合、双方向通信路は一対の差動伝送路であり、この一対の差動伝送路のうち少なくとも一方は直流バイアス電位によって外部機器に接続状態を通知する機能を有する、ようにされてもよい。
【００２１】
このように本技術においては、送信側から送られてくる広色域画像データを、同様に送信側から送られてくる広色域画像データの付加情報に基づいて処理するものであり、受信された広色域画像データに対して適切な処理を容易に行うことができる。
【００２２】
なお、本技術において、例えば、自身が対応可能な広色域画像データの付加情報の伝送方式情報を記憶しておく伝送方式情報記憶部と、この伝送方式情報記憶部に記憶されている伝送方式情報を、伝送路を介して外部機器に送信する伝送方式情報送信部とをさらに備える、ようにされてもよい。例えば、伝送方式情報記憶部に記憶されている伝送方式情報は、ＧＢＤパケット情報、ＶＳＩＦパケット情報、ＡＶＩＦパケット情報、ＨＥＣパケット情報の少なくとも１つである、ようにされてもよい。このように自身が対応可能な広色域画像データの付加情報の伝送方式情報を送信側に送ることで、送信側から自身が対応可能な伝送方式で広色域画像データの付加情報を送ってもらうことが可能となる。
【発明の効果】
【００２３】
本技術によれば、広色域画像データの伝送を良好に行うことができる。なお、本明細書に記載された効果はあくまで例示であって限定されるものではなく、また付加的な効果があってもよい。
【図面の簡単な説明】
【００２４】
【図１】実施の形態としてのＡＶシステムの構成例を示すブロック図である。
【図２】ディスクプレーヤのＨＤＭＩ送信部と、テレビ受信機のＨＤＭＩ受信部の構成例を示すブロック図である。
【図３】ＴＭＤＳチャネル＃０，＃１，＃２において、横×縦が１９２０ピクセル×１０８０ラインの画像データが伝送される場合の、各種の伝送データの区間を示す図である。
【図４】ｓＲＧＢ、ｘｖＹＣＣ、およびＸＹＺの色域の概念図である。
【図５】ＡＶシステムを構成するディスクプレーヤ（ソース機器）の構成例を示すブロック図である。
【図６】ＡＶシステムを構成するテレビ受信機（シンク機器）の構成例を示すブロック図である。
【図７】シンク機器（テレビ受信機）に記憶されているＥ−ＥＤＩＤのデータ構造例を示す図である。
【図８】Ｅ−ＥＤＩＤのＶｅｎｄｅｒ  Ｓｐｅｃｉｆｉｃ領域のデータ構造例を示す図である。
【図９】ＨＤＭＩのＶｅｎｄｏｒ Ｓｐｅｃｉｆｉｃ ＩｎｆｏＦｒａｍｅパケットのデータ構造例を示す図である。
【図１０】Ｖｅｎｄｏｒ Ｓｐｅｃｉｆｉｃ ＩｎｆｏＦｒａｍｅパケットで伝送されるワイドカラーガンマ画像データの付加情報を説明するための図である。
【図１１】ＨＤＭＩのＧａｍｕｔ  Ｂｏｕｎｄａｒｙ  Ｄａｔａ（ＧＢＤ）パケットのデータ構造例を示す図である。
【図１２】ディスクプレーヤ（ソース機器）における、テレビ受信機（シンク機器）の接続時の処理例を説明するためのフローチャートである。
【図１３】テレビ受信機（シンク機器）における、ディスクプレーヤ（ソース機器）からＷＣＧ画像データの受信が開始された時の処理例を説明するためのフローチャートである。
【図１４】ＡＶシステムを構成するデジタルカメラ（ソース機器）の構成例を示すブロック図である。
【発明を実施するための形態】
【００２５】
以下、発明を実施するための形態（以下、「実施の形態」とする）について説明する。なお、説明を以下の順序で行う。
１．実施の形態
２．変形例
【００２６】
＜１．実施の形態＞
［ＡＶシステムの構成例］
図１は、実施の形態としてのＡＶ（Audio Visual）システム１０の構成例を示している。このＡＶシステム１０は、ソース機器としてのディスクプレーヤ１１と、シンク機器としてのテレビ受信機１２とを有している。ディスクプレーヤ１１およびテレビ受信機１２は、伝送路としてのＨＤＭＩケーブル１３を介して接続されている。
【００２７】
ディスクプレーヤ１１には、ＨＤＭＩ送信部（ＨＤＭＩＴＸ）１１ｂおよび高速バスインタフェース（高速バスＩ/Ｆ）１１ｃが接続されたＨＤＭＩ端子１１ａが設けられている。テレビ受信機１２には、ＨＤＭＩ受信部（ＨＤＭＩ ＲＸ）１２ｂおよび高速バスインタフェース（高速バスＩ/Ｆ）１２ｃが接続されたＨＤＭＩ端子１２ａが設けられている。ＨＤＭＩケーブル１３の一端はディスクプレーヤ１１のＨＤＭＩ端子１１ａに接続され、このＨＤＭＩケーブル１３の他端はテレビ受信機１２のＨＤＭＩ端子１２ａに接続されている。
【００２８】
図１に示すＡＶシステム１０において、ディスクプレーヤ１１で再生されて得られた非圧縮の画像データはＨＤＭＩケーブル１３を介してテレビ受信機１２に送信され、このテレビ受信機１２ではディスクプレーヤ１１から送信された画像データによる画像が表示される。また、ディスクプレーヤ１１で再生されて得られた非圧縮の音声データはＨＤＭＩケーブル１３を介してテレビ受信機１２に送信され、このテレビ受信機１２ではディスクプレーヤ１１から送信された音声データによる音声が出力される。
【００２９】
図２は、図１のＡＶシステム１０における、ディスクプレーヤ１１のＨＤＭＩ送信部１１ｂと、テレビ受信機１２のＨＤＭＩ受信部１２ｂの構成例を示している。ＨＤＭＩ送信部１１ｂは、一の垂直同期信号から次の垂直同期信号までの区間から、水平帰線区間１５および垂直帰線区間１６を除いた区間である有効画像区間１４（以下、適宜、アクティブビデオ区間ともいう）（図３参照）において、非圧縮の１画面分の画像の画素データに対応する差動信号を、複数のチャネルで、ＨＤＭＩ受信部１２ｂに一方向に送信する。また、ＨＤＭＩ送信部１１ｂは、水平帰線区間１５または垂直帰線区間１６において、少なくとも画像に付随する音声データや制御データ、その他の補助データ等に対応する差動信号を、複数のチャネルで、ＨＤＭＩ受信部１２ｂに一方向に送信する。
【００３０】
すなわち、ＨＤＭＩ送信部１１ｂは、ＨＤＭＩトランスミッタ２１を有する。トランスミッタ２１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部１２ｂに、一方向にシリアル伝送する。
【００３１】
また、トランスミッタ２１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部１２ｂに一方向にシリアル伝送する。さらに、トランスミッタ２１は、３つのＴＭＤＳチャネル＃０，＃１，＃２で送信する画素データに同期したピクセルクロックを、ＴＭＤＳクロックチャネルで、ＨＤＭＩ受信部１２ｂに送信する。ここで、１つのＴＭＤＳチャネル＃ｉ（ｉ＝０，１，２）では、ピクセルクロックの１クロックの間に、１０ビットの画素データが送信される。
【００３２】
ＨＤＭＩ受信部１２ｂは、アクティブビデオ区間１４（図３参照）において、複数のチャネルで、ＨＤＭＩ送信部１１ｂから一方向に送信されてくる、画素データに対応する差動信号を受信する。また、ＨＤＭＩ受信部１２ｂは、水平帰線区間１５（図３参照）または垂直帰線区間１６（図３参照）において、複数のチャネルで、ＨＤＭＩ送信部１１ｂから一方向に送信されてくる、音声データや制御データに対応する差動信号を受信する。
【００３３】
すなわち、ＨＤＭＩ受信部１２ｂは、ＨＤＭＩレシーバ２２を有する。レシーバ２２は、ＴＭＤＳチャネル＃０，＃１，＃２で、ＨＤＭＩケーブル１３を介して接続されているＨＤＭＩ送信部１１ｂから一方向に送信されてくる、画素データに対応する差動信号と、音声データや制御データに対応する差動信号を、受信する。この際、同じくＨＤＭＩ送信部１１ｂからＴＭＤＳクロックチャネルで送信されてくるピクセルクロックに同期して受信する。
【００３４】
ＨＤＭＩソース送信部１１ｂとＨＤＭＩ受信部１２ｂとからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）２３やＣＥＣ（Consumer Electronics Control）ライン２４と呼ばれる伝送チャネルがある。
【００３５】
ＤＤＣ２３は、ＨＤＭＩケーブル１３に含まれる２本の信号線からなり、ＨＤＭＩ送信部１１ｂが、ＨＤＭＩケーブル１３を介して接続されたＨＤＭＩ受信部１２ｂから、Ｅ−ＥＤＩＤ（Enhanced Extended Display Identification Data）を読み出すために使用される。すなわち、ＨＤＭＩ受信部１２ｂは、ＨＤＭＩレシーバ２２の他に、自身の性能（Configuration・Capability）に関する性能情報であるＥ−ＥＤＩＤを記憶している、ＥＤＩＤ  ＲＯＭ（Read Only Memory）を有している。
【００３６】
ＨＤＭＩ送信部１１ｂは、ＨＤＭＩケーブル１３を介して接続されているＨＤＭＩ受信部１２ｂから、当該ＨＤＭＩ受信部１２ｂのＥ−ＥＤＩＤを、ＤＤＣ２３を介して読み出す。そして、ＨＤＭＩ送信部１１ｂは、そのＥ−ＥＤＩＤに基づき、ＨＤＭＩ受信部１２ｂの性能の設定、すなわち、例えば、ＨＤＭＩ受信部１２ｂを有する電子機器が対応している画像のフォーマット（プロファイル）、例えば、ＲＧＢ、ＹＣｂＣｒ４：４：４、ＹＣｂＣｒ４：２：２等を認識する。
【００３７】
ＣＥＣライン２４は、ＨＤＭＩケーブル１３に含まれる１本の信号線からなり、ＨＤＭＩ送信部１１ｂとＨＤＭＩ受信部１２ｂとの間で、制御用のデータの双方向通信を行うために用いられる。また、ＨＤＭＩケーブル１３には、ＨＰＤ（Hot Plug Detect）と呼ばれるピンに接続されるライン（ＨＰＤライン）２５が含まれている。
【００３８】
ソース機器は、このライン２５を利用して、直流バイアス電位により、シンク機器の接続を検出することができる。この場合、ＨＰＤラインは、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。
【００３９】
また、ＨＤＭＩケーブル１３には、ソース機器からシンク機器に電源を供給するために用いられるライン（電源ライン）２６が含まれている。さらに、ＨＤＭＩケーブル１３には、リザーブライン２７が含まれている。ＨＰＤライン２５とリザーブライン２７を用いて、一対の差動伝送路を構成し、双方向通信路として用いる場合もある。
【００４０】
図３は、ＴＭＤＳチャネル＃０，＃１，＃２において、横×縦が１９２０ピクセル×１０８０ラインの画像データが伝送される場合の、各種の伝送データの区間を示している。ＨＤＭＩの３つのＴＭＤＳチャネル＃０，＃１，＃２で伝送データが伝送されるビデオフィールド（Video Field）には、伝送データの種類に応じて、ビデオデータ区間１７（Video Data Period）、データアイランド区間１８（Data Island Period）、およびコントロール区間１９（Control Period）の３種類の区間が存在する。
【００４１】
ここで、ビデオフィールド区間は、ある垂直同期信号の立ち上がりエッジ（Active Edge）から次の垂直同期信号の立ち上がりエッジまでの区間であり、水平帰線期間１５（Horizontal Blanking）、垂直帰線期間１６（Vertical Blanking）、並びに、ビデオフィールド区間から、水平帰線期間および垂直帰線期間を除いた区間である有効画素区間１４（Active Video）に分けられる。
【００４２】
ビデオデータ区間１７は、有効画素区間１４に割り当てられる。このビデオデータ区間１７では、非圧縮の１画面分の画像データを構成する１９２０ピクセル（画素）×１０８０ライン分の有効画素（Active Pixel）のデータが伝送される。データアイランド区間１８およびコントロール区間１９は、水平帰線期間１５および垂直帰線期間１６に割り当てられる。このデータアイランド区間１８およびコントロール区間１９では、補助データ（Auxiliary Data）が伝送される。
【００４３】
すなわち、データアイランド区間１８は、水平帰線期間１５と垂直帰線期間１６の一部分に割り当てられている。このデータアイランド区間１８では、補助データのうち、制御に関係しないデータである、例えば、音声データのパケット等が伝送される。コントロール区間１９は、水平帰線期間１５と垂直帰線期間１６の他の部分に割り当てられている。このコントロール区間１９では、補助データのうちの、制御に関係するデータである、例えば、垂直同期信号および水平同期信号、制御パケット等が伝送される。
【００４４】
この実施の形態において、ディクスプレーヤ１１は、テレビ受信機１２から、ＨＤＭＩケーブル１３を介して、このテレビ受信機１２が対応可能な、ワイドカラーガンマ画像データの付加情報の伝送方式情報を受信する。以下、ワイドカラーガンマを、適宜、「ＷＣＧ」と略記する。
【００４５】
この場合、テレビ受信機１２は、自身が対応するＷＣＧ画像データの付加情報の伝送方式の情報を記憶部に記憶しており、この伝送方式情報を、ＨＤＭＩケーブル１３を介してディスクプレーヤ１１に送信する。なお、従来は、ＷＣＧ画像データの付加情報の伝送仕様に、ｓＲＧＢまたはｘｖＹＣＣによるＲＧＢ情報の伝送規定しかなく、ＲＧＢ三原色で表現できる色域の外側の色度はメーカー間での色度圧縮の互換性がなかった。
【００４６】
ディスクプレーヤ１１は、テレビ受信機１２から受信したＷＣＧ画像データの付加情報の伝送方式情報に基づいて、テレビ受信機１２が対応可能なＷＣＧ画像データの付加情報の伝送方式から所定の伝送方式を選択する。この場合、ディスクプレーヤ１１は、例えば、テレビ受信機１２が対応可能なＷＣＧ画像データの付加情報の伝送方式が複数ある場合には、テレビ受信機１２での付加情報受信処理が最も容易な伝送方式を優先し、次に伝送スピードが速い伝送方式を選択する。
【００４７】
ディスクプレーヤ１１は、ＷＣＧ画像データを、ＨＤＭＩケーブル１３を介してテレビ受信機１２に送信する。この際、ディスクプレーヤ１１は、送信するＷＣＧ画像データの付加情報およびこの付加情報の伝送方式情報を、ＨＤＭＩケーブル１３を介してテレビ受信機１２に送信する。
【００４８】
テレビ受信機１２は、ディクスプレーヤ１１から、ＨＤＭＩケーブル１３を介して、ＷＣＧ画像データを受信すると共に、そのＷＣＧ画像データの付加情報およびその付加情報の伝送方式情報を受信する。テレビ受信機１２は、受信したＷＣＧ画像データを、受信したＷＣＧ画像データの付加情報に基づいて、色域処理、例えば、テレビ受信機１２の表示色域外にある色度点を表示色域内に変更する色域圧縮処理などを行う。
【００４９】
従来、例えば、ディスクプレーヤ１１に記録されている画像データはｓＲＧＢやｘｖＹＣＣ等の表示装置で表示されることを想定して色域調整されている。つまり、従来は、自然界の色域に比べて画像データは色域が大幅に圧縮されている。また、表示装置の色域がｓＲＧＢやｘｖＹＣＣ以上のものが実用化されている。元々スタジオモニタの持つ色域で調整された画像データを表示装置でｓＲＧＢやｘｖＹＣＣ に合わせて色域処理を行うと画質に問題が生じる。
【００５０】
ＷＣＧ画像データの付加情報は、ＲＧＢ三原色で現わされる三角形の色域外の色域を規定するためにＲＧＢ三原色以外の色度点を少なくとも１つ以上規定するために提案されている。また、白レベル輝度の情報とそのときの色度ベクトルも合せて提案されている。つまり、ＷＣＧ画像データの付加情報は、ＲＧＢ三原色の色度ベクトル情報と、ＲＧＢ三原色以外の少なくとも１つ以上の色度ベクトル情報と、白色度点の輝度情報と白色度点のベクトル情報で構成される。
【００５１】
図４は、従来のｓＲＧＢ、ｘｖＹＣＣ、およびＸＹＺの色域の概念図を示している。ＲＧＢ以外に３点の色度点４ｆ、４ｇ、４ｈを定め、波線で示す領域を指定する色域の例を示す。色度点４ｆと色度点４ｇは色度点Ｇと色度点Ｂの外側にあり、色度点４ｆと色度点Ｇ、色度点４ｆと色度点４ｇおよび色度点４ｇと色度点Ｂを結んで表現される色域が拡張されたことを示す。同様に、色度点Ｂと色度点４ｈおよび色度点４ｈと色度点Ｒを結んで表現される色域が拡張されたことを示す。
【００５２】
この様にして、色度点ＲＧＢ以外の色度点を１つ以上指定することで、従来のｓＲＧＢやｘｖＹＣＣで表現出来ない色域を表すことが可能となる。従来のｓＲＧＢ色域外の色度点４ａは、例えばテレビ受信機１２の表示部の白色度点４ｂ方向に色度圧縮されて４ｅに表示する処理を一般的に行うが、画像制作者が用いる表示装置の白色度点４ｃと色度圧縮された４ｄとは異なる可能性があり、その場合は異なる色度点に圧縮されることになる。
【００５３】
［ディスクプレーヤの構成例］
図５は、ディスクプレーヤ１１の構成例を示している。このディスクプレーヤ１１は、ＨＤＭＩ端子１１ａと、ＨＤＭＩ送信部１１ｂと、高速バスインタフェース１１ｃを有している。また、このディスクプレーヤ１１は、ＣＰＵ（Central Processing Unit）１０４と、内部バス１０５と、フラッシュＲＯＭ（Read Only Memory）１０６と、ＳＤＲＡＭ（Synchronous Random Access Memory）１０７と、リモコン受信部１０８と、リモコン送信機１０９を有している。
【００５４】
また、ディスクプレーヤ１１は、ＳＡＴＡ（Serial Advanced Technology Attachment）インタフェース１１０と、ＢＤ(Blu-Ray Disc)ドライブ１１１と、イーサネットインタフェース（Ethernet I/F）１１２と、ネットワーク端子１１３を有している。また、ディスクプレーヤ１１は、ＭＰＥＧ(Moving Picture Expert Group)デコーダ１１４と、グラフィック生成回路１１５と、映像出力端子１１６と、音声出力端子１１７を有している。
【００５５】
また、ディスクプレーヤ１１は、表示制御部１２１と、パネル駆動回路１２２と、表示パネル１２３と、電源部１２４を有していてもよい。なお、「イーサネット」および「Ｅｔｈｅｒｎｅｔ」は登録商標である。高速バスインタフェース１１ｃ、ＣＰＵ１０４、フラッシュＲＯＭ１０６、ＳＤＲＡＭ１０７、リモコン受信部１０８、ＳＡＴＡインタフェース１１０、イーサネットインタフェース１１２、ＭＰＥＧデコーダ１１４、表示制御部１２１は、内部バス１０５に接続されている。
【００５６】
ＣＰＵ１０４は、ディスクプレーヤ１０の各部の動作を制御する。フラッシュＲＯＭ１０６は、制御ソフトウェアの格納およびデータの保管を行う。ＳＤＲＡＭ１０７は、ＣＰＵ１０４のワークエリアを構成する。ＣＰＵ１０４は、フラッシュＲＯＭ１０６から読み出したソフトウェアやデータをＳＤＲＡＭ１０７上に展開してソフトウェアを起動させ、ディスクプレーヤ１１の各部を制御する。
【００５７】
リモコン受信部１０８は、リモコン送信機１０９から送信されたリモーコントロール信号（リモコンコード）を受信し、ＣＰＵ１０４に供給する。ＣＰＵ１０４は、リモコンコードに従ってディスクプレーヤ１１の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００５８】
ＢＤドライブ１０１は、ディスク状記録メディアとしてのＢＤディスク（図示せず）に対して、コンテンツデータを記録し、あるいは、このＢＤからコンテンツデータを再生する。このＢＤドライブ１１１は、ＳＡＴＡインタフェース１１０を介して内部バス１０５に接続されている。ＭＰＥＧデコーダ１１４は、ＢＤドライブ１１１で再生されたＭＰＥＧ２ストリームに対してデコード処理を行って画像および音声のデータを得る。
【００５９】
グラフィック生成回路１１５は、ＭＰＥＧデコーダ１１４で得られた画像データに対して、必要に応じてグラフィックスデータの重畳処理等を行う。映像出力端子１１６は、グラフィック生成回路１１５から出力される画像データを出力する。音声出力端子１１７は、ＭＰＥＧデコーダ１１４で得られた音声データを出力する。
【００６０】
パネル駆動回路１２２は、グラフィック生成回路１１５から出力される映像（画像）データに基づいて、表示パネル１２３を駆動する。表示制御部１２１は、グラフィクス生成回路１１５やパネル駆動回路１２２を制御して、表示パネル１２３における表示を制御する。表示パネル１２３は、例えば、ＬＣＤ(Liquid Crystal Display)、有機ＥＬ（Organic Electro-Luminescence）パネル等で構成されている。
【００６１】
なお、この実施の形態では、ＣＰＵ１０４の他に表示制御部１２１を有する例を示しているが、表示パネル１２３における表示をＣＰＵ１０４が直接制御するようにしてもよい。また、ＣＰＵ１０４と表示制御部１２１は、１つのチップになっていても、複数コアであってもよい。電源部１２４は、ディスクプレーヤ１１の各部に電源を供給する。この電源部１２４は、ＡＣ電源であっても、電池（蓄電池、乾電池）であってもよい。
【００６２】
ＨＤＭＩ送信部（ＨＤＭＩソース）１１ｂは、ＨＤＭＩに準拠した通信により、ベースバンドの画像（映像）と音声のデータを、ＨＤＭＩ端子１１ａから送出する。高速バスインインタフェース１１ｃは、ＨＤＭＩケーブル１３を構成する所定ライン（この実施の形態においては、リザーブライン、ＨＰＤライン）を用いて構成される双方向通信路のインタフェースである。
【００６３】
この高速バスインタフェース１１ｃは、イーサネットインタフェース１１２とＨＤＭＩ端子１０１との間に挿入されている。この高速バスインタフェース１１ｃは、ＣＰＵ１０４から供給される送信データを、ＨＤＭＩ端子１０１からＨＤＭＩケーブル１３を介して相手側の機器に送信する。また、この高速バスインタフェース１１ｃは、ＨＤＭＩケーブル１３からＨＤＭＩ端子１１ａを介して相手側の機器から受信された受信データをＣＰＵ１０４に供給する。
【００６４】
図５に示すディスクプレーヤ１１の動作を簡単に説明する。記録時には、図示されないデジタルチューナを介して、あるいはネットワーク端子１１３からイーサネットインタフェース１１２を介して、あるいはＨＤＭＩ端子１１ａから高速バスインタフェース１１ｃを介して、記録すべきコンテンツデータが取得される。このコンテンツデータは、ＳＡＴＡインタフェース１１０に入力され、ＢＤドライブ１１１によりＢＤに記録される。場合によっては、このコンテンツデータは、ＳＡＴＡインタフェース１１０に接続された、図示されないＨＤＤ（ハードディスクドライブ）に記録されてもよい。
【００６５】
再生時には、ＢＤドライブ１１１によりＢＤから再生されたコンテンツデータ（ＭＰＥＧストリーム）は、ＳＡＴＡインタフェース１１０を介してＭＰＥＧデコーダ１１４に供給される。ＭＰＥＧデコーダ１１４では、再生されたコンテンツデータに対してデコード処理が行われ、ベースバンドの画像および音声のデータが得られる。画像データは、グラフィック生成回路１１５を通じて映像出力端子１１６に出力される。また、音声データは、音声出力端子１１７に出力される。
【００６６】
また、再生時には、ＭＰＥＧデコーダ１１４で得られた画像データが、ユーザ操作に応じて、グラフィック生成回路１１５を通じてパネル駆動回路１２２に供給され、表示パネル１２３に再生画像が表示される。また、ＭＰＥＧデコーダ１１４で得られた音声データが、ユーザ操作に応じて、図示しないスピーカに供給され、再生画像に対応した音声が出力される。
【００６７】
また、この再生時に、ＭＰＥＧデコーダ１１４で得られた画像および音声のデータをＨＤＭＩのＴＭＤＳチャネルで送信する場合には、これら画像および音声のデータは、ＨＤＭＩ送信部１１ｂに供給されてパッキングされ、このＨＤＭＩ送信部１１ｂからＨＤＭＩ端子１１ａに出力される。
【００６８】
また、再生時に、ＢＤドライブ１１１で再生されたコンテンツデータをネットワークに送出する際には、このコンテンツデータは、イーサネットインタフェース１１２を介して、ネットワーク端子１１３に出力される。同様に、再生時に、ＢＤドライブ１１１で再生されたコンテンツデータをＨＤＭＩケーブル１３の双方向通信路に送出する際には、当該コンテンツデータは、高速バスインタフェース１１ｃを介して、ＨＤＭＩ端子１１ａに出力される。ここで、画像データを出力する前に、著作権保護技術、例えばＨＤＣＰ、ＤＴＣＰ、ＤＴＣＰ＋などを用いて暗号化してから伝送してもよい。
【００６９】
［テレビ受信機の構成例］
図６は、テレビ受信機１２の構成例を示している。このテレビ受信機１２は、ＨＤＭＩ端子１２ａと、ＨＤＭＩ受信部１２ｂと、高速バスインタフェース１２ｃとを有している。また、テレビ受信機１２は、アンテナ端子２０５と、デジタルチューナ２０６と、ＭＰＥＧデコーダ２０７と、映像信号処理回路２０８と、グラフィック生成回路２０９と、パネル駆動回路２１０と、表示パネル２１１とを有している。
【００７０】
また、テレビ受信機１２は、音声信号処理回路２１２と、音声増幅回路２１３と、スピーカ２１４と、内部バス２２０と、ＣＰＵ２２１と、フラッシュＲＯＭ２２２と、ＤＲＡＭ（Dynamic Random Access Memory）２２３とを有している。また、テレビ受信機１２は、イーサネットインタフェース（Ethernet I/F）２２４と、ネットワーク端子２２５と、リモコン受信部２２６と、リモコン送信機２２７とを有している。また、テレビ受信機１２は、表示制御部２３１と、電源部２３２を有している。なお、「イーサネット」および「Ｅｔｈｅｒｎｅｔ」は登録商標である。
【００７１】
アンテナ端子２０５は、受信アンテナ（図示せず）で受信されたテレビ放送信号を入力する端子である。デジタルチューナ２０６は、アンテナ端子２０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００７２】
また、デジタルチューナ２０６は、得られたトランスポートストリームから、ＰＳＩ／ＳＩ（Program Specific Information／Service Information）を取り出し、ＣＰＵ２２１に出力する。デジタルチューナ２０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００７３】
ＭＰＥＧデコーダ２０７は、デジタルチューナ２０６で得られる映像データのＴＳパケットにより構成される映像ＰＥＳ（Packetized Elementary Stream）パケットに対してデコード処理を行って画像データを得る。また、ＭＰＥＧデコーダ２０７は、デジタルチューナ２０６で得られる音声データのＴＳパケットにより構成される音声ＰＥＳパケットに対してデコード処理を行って音声データを得る。
【００７４】
映像信号処理回路２０８およびグラフィック生成回路２０９は、ＭＰＥＧデコーダ２０７で得られた画像データ、あるいはＨＤＭＩ受信部２０２で受信された画像データに対して、必要に応じてスケーリング処理（解像度変換処理）、グラフィックスデータの重畳処理、ＷＣＧ画像のガンマ補正等を行う。
【００７５】
パネル駆動回路２１０は、グラフィック生成回路２０９から出力される映像（画像）データに基づいて、表示パネル２１１を駆動する。表示制御部２３１は、グラフィクス生成回路２０９やパネル駆動回路２１０を制御して、表示パネル２１１における表示を制御する。表示パネル２１１は、例えば、ＬＣＤ(Liquid Crystal Display)、ＰＤＰ(Plasma Display Panel)、有機ＥＬ（Organic Electro-Luminescence）パネル等で構成されている。
【００７６】
なお、この実施の形態では、ＣＰＵ２２１の他に表示制御部２３１を有する例を示しているが、表示パネル２１１における表示をＣＰＵ２２１が直接制御するようにしてもよい。また、ＣＰＵ２２１と表示制御部２３１は、１つのチップになっていても、複数コアであってもよい。電源部２３２は、テレビ受信機１２の各部に電源を供給する。この電源部２３２は、ＡＣ電源であっても、電池（蓄電池、乾電池）であってもよい。
【００７７】
音声信号処理回路２１２はＭＰＥＧデコーダ２０７で得られた音声データに対してＤ／Ａ変換等の必要な処理を行う。音声増幅回路２１３は、音声信号処理回路２１２から出力される音声信号を増幅してスピーカ２１４に供給する。なお、スピーカ２１４は、モノラルでもステレオでもよい。また、スピーカ２１４は、１つでもよく、２つ以上でもよい。また、スピーカ２１４は、イヤホン、ヘッドホンでもよい。また、スピーカ２１４は、２．１チャネルや、５．１チャネルなどに対応するものであってもよい。また、スピーカ２１４は、テレビ受信機１２と無線で接続してもよい。また、スピーカ２１４は、他機器であってもよい。
【００７８】
ＣＰＵ２２１は、テレビ受信機１２の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＤＲＡＭ２２３上に展開してソフトウェアを起動させ、テレビ受信機１２の各部を制御する。
【００７９】
リモコン受信部２２６は、リモコン送信機２２７から送信されたリモーコントロール信号（リモコンコード）を受信し、ＣＰＵ２２１に供給する。ＣＰＵ２２１は、このリモコンコードに基づいて、テレビ受信機１２の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００８０】
ネットワーク端子２２５は、ネットワークに接続する端子であり、イーサネットインタフェース２２４に接続される。高速バスインタフェース１２ｃ、ＣＰＵ２２１、フラッシュＲＯＭ２２２、ＳＤＲＡＭ２２３、イーサネットインタフェース２２４、ＭＰＥＧデコーダ２０７および表示制御部２３１は、内部バス２２０に接続されている。
【００８１】
ＨＤＭＩ受信部（ＨＤＭＩシンク）１２ｂは、ＨＤＭＩに準拠した通信により、ＨＤＭＩケーブル１３を介してＨＤＭＩ端子１２ａに供給されるベースバンドの画像（映像）と音声のデータを受信する。高速バスインタフェース１２ｃは、上述したディスクプレーヤ１１の高速バスインタフェース１１ｃと同様に、ＨＤＭＩケーブル１３を構成する所定ライン（この実施の形態においては、リザーブライン、ＨＰＤライン）を用いて構成される双方向通信路のインタフェースである。
【００８２】
この高速バスインタフェース１２ｃは、イーサネットインタフェース２２４とＨＤＭＩ端子２０１との間に挿入されている。この高速バスインタフェース１２ｃは、ＣＰＵ２２１から供給される送信データを、ＨＤＭＩ端子１２ａからＨＤＭＩケーブル１３を介して相手側の機器に送信する。また、この高速バスインタフェース１２ｃは、ＨＤＭＩケーブル１３からＨＤＭＩ端子１２ａを介して相手側の機器から受信された受信データをＣＰＵ２２１に供給する。なお、例えば、受信されたコンテンツデータをネットワークに送出する際には、このコンテンツデータは、イーサネットインタフェース２２４を介して、ネットワーク端子２２５に出力される。同様に、受信されたコンテンツデータをＨＤＭＩケーブル１３の双方向通信路に送出する際には、当該コンテンツデータは、高速バスインタフェース１２ｃを介して、ＨＤＭＩ端子１１ａに出力される。ここで、画像データを出力する前に、著作権保護技術、例えばＨＤＣＰ、ＤＴＣＰ、ＤＴＣＰ＋などを用いて暗号化してから伝送してもよい。
【００８３】
図６に示すテレビ受信機１２の動作を簡単に説明する。アンテナ端子２０５に入力されたテレビ放送信号はデジタルチューナ２０６に供給される。このデジタルチューナ２０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ２０７に供給される。
【００８４】
ＭＰＥＧデコーダ２０７では、映像データのＴＳパケットにより構成される映像ＰＥＳパケットに対してデコード処理が行われて映像データが得られる。この映像データは、映像信号処理回路２０８およびグラフィック生成回路２０９において、必要に応じて、スケーリング処理（解像度変換処理）、グラフィックスデータの重畳処理等が行われた後に、パネル駆動回路２１０に供給される。そのため、表示パネル２１１には、ユーザの選択チャネルに対応した画像が表示される。
【００８５】
また、ＭＰＥＧデコーダ２０７では、音声データのＴＳパケットにより構成される音声ＰＥＳパケットに対してデコード処理が行われて音声データが得られる。この音声データは、音声信号処理回路２１２でＤ／Ａ変換等の必要な処理が行われ、さらに、音声増幅回路２１３で増幅された後に、スピーカ２１４に供給される。そのため、スピーカ２１４から、ユーザの選択チャネルに対応した音声が出力される。
【００８６】
また、ネットワーク端子２２５からイーサネットインタフェース２２４に供給される、あるいは、ＨＤＭＩ端子１２ａから高速バスインタフェース１２ｃを介して供給されるコンテンツデータ（画像データ、音声データ）は、ＭＰＥＧデコーダ２０７に供給される。以降は、上述したテレビ放送信号の受信時と同様の動作となり、表示パネル２１１に画像が表示され、スピーカ２１４から音声が出力される。
【００８７】
また、ＨＤＭＩ受信部１２ｂでは、ＨＤＭＩ端子１２ａにＨＤＭＩケーブル１３を介して接続されているディスクプレーヤ１１から送信されてくる、画像データおよび音声データが取得される。画像データは、映像信号処理回路２０８に供給される。また、音声データは、直接、音声信号処理回路２１２に供給される。以降は、上述したテレビ放送信号の受信時と同様の動作となり、表示パネル２１１に画像が表示され、スピーカ２１４から音声が出力される。
【００８８】
なお、ＨＤＭＩ受信部１２ｂで受信された画像データがＷＣＧ画像データである場合には、映像信号処理回路２０８において、ＷＣＧ画像データを表示するための画像データが生成され、ＨＤＭＩ受信部１２ｂまたは高速バスインタフェース１２ｃで受信したＷＣＧ画像データの付加情報に基づき色域処理が行われる。そのため、表示パネル２１１には、ＷＣＧ画像が表示される。
【００８９】
［ＥＤＩＤのデータ構造例］
図７は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【００９０】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【００９１】
拡張ブロックの先頭には、 “Ｓｈｏｒｔ  Ｖｉｄｅｏ  Ｄｅｓｃｒｉｐｔｏｒ”で表される、表示可能な画像サイズ(解像度)、フレームレート、インターレースであるかプログレッシブであるかを示す情報、アスペクト比などの情報が記述されたデータ、“Ｓｈｏｒｔ  Ａｕｄｉｏ  Ｄｅｓｃｒｉｐｔｏｒ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【００９２】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカーごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【００９３】
［ＶｅｎｄｏｒＳｐｅｃｉｆｉｃＤａｔａＢｌｏｃｋ（ＶＳＤＢ）領域のデータ構造例］
この実施の形態においては、このＶＳＤＢ領域に、ＷＣＧ画像データの付加情報の伝送方式情報を記憶するために拡張するデータエリアを定義する。図８は、ＶＳＤＢ領域のデータ構造例を示している。このＶＳＤＢ領域には、１バイトのブロックである第０ブロック乃至第Ｎブロックが設けられている。
【００９４】
第８バイトの第４ビットおよび既に定義された第０バイトから第１５＋Ｍ−１バイトに続く第１５＋Ｍバイトに、シンク機器（この実施の形態では、テレビ受信機１２）が記憶しておくべきＷＣＧ画像データの付加情報の伝送方式情報のデータ領域が定義される。
【００９５】
まず、第０バイトから第８バイトについて説明する。“Ｖｅｎｄｅｒ Ｓｐｅｃｉｆｉｃ”で表されるデータの先頭に配置された第０バイトには、“Ｖｅｎｄｏｒ−Ｓｐｅｃｉｆｉｃ ｔａｇ ｃｏｄｅ（＝３）”で表されるデータ領域を示すヘッダ、および“Ｌｅｎｇｔｈ（＝Ｎ）”で表されるＶＳＤＢデータの長さを示す情報が配置される。また、第１バイト乃至第３バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【００９６】
さらに、第４バイトおよび第５バイトには、”Ａ“、”Ｂ“、”Ｃ“、および”Ｄ“のそれぞれにより表される、２４ｂｉｔのシンク機器の物理アドレスを示す情報が配置される。第６バイトには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ Ｖｉｓｕａｌ Ｉｎｔｅｒｆａｃｅ）に対応しているかを示すフラグが配置されている。
【００９７】
また、第７バイトには、“Ｍａｘ−ＴＭＤＳ−Ｃｌｏｃｋ”で表されるＴＭＤＳのピクセルクロックの最大の周波数を示す情報が配置される。第８バイトには、Ｌａｔｅｎｃｙフィールドの存在を指定する情報、Ｉｎｔｅｒｌａｃｅ Ｌａｔｅｎｃｙフィールドの存在を指定する情報、３Ｄビデオフォーマットの拡張の存在を指定する情報、コンテンツタイプ（ＣＮＣ）の機能の対応を指定する情報のフラグが配置されている。この第８バイトの第４ビットに、シンク機器が対応するＷＣＧ情報が存在するかどうかのフラグ“ＷＣＧ＿Ｅｘｔｅｎｓｉｏｎ”が新規に配置される。このフラグがＴｒｕｅ「１」の場合には、第１５＋ＭバイトにＷＣＧ画像データの付加情報の伝送方式情報（伝送方式のデータ）が存在することを示す。
【００９８】
次に、第１５＋Ｍバイトについて説明する。第１５＋Ｍバイトには、シンク機器が対応しているＷＣＧ画像の付加情報の伝送方式情報が書き込まれる。第７ビットには、シンク機器がデータアイランド区間１９（図３参照）に挿入したＧＢＤパケットの伝送に対応している場合、“ＧＢＤ”にＴｒｕｅ「１」を設定する。第６ビットには、シンク機器がデータアイランド区間１９に挿入したＶＳＩＦパケットの伝送に対応している場合、“ＶＳＩＦ”にＴｒｕｅ「１」を設定する。
【００９９】
第５ビットには、シンク機器がデータアイランド区間１９に挿入したＡＶＩＦパケットの伝送に対応している場合、“ＡＶＩＦ”にＴｒｕｅ「１」を設定する。第４ビットには、シンク機器がＷＣＧ画像の付加情報を高速バスインタフェース１２ｃの伝送に対応している場合、“ＨＥＣ”にＴｒｕｅ「１」を設定する。第３ビットから第０ビットは、これ以外の方式が提案された場合に、割当が可能となっている。
【０１００】
ここでは、ＶＳＤＢ領域を用いてＷＣＧ画像データの付加情報の伝送方式情報を記憶させる方法を提案している。しかし、Ｅ−ＥＤＩＤのデータ構造では、例えばＶＣＤＢ（Video Capability Data Block）のように、これ以外のデータ領域でも実現可能なため、この方法に限定はされない。
【０１０１】
図１に示すＡＶシステム１０において、ディスクプレーヤ（ソース機器）１１のＣＰＵ１０４は、ＨＰＤライン（図２参照）で、テレビ受信機（シンク機器）１２の接続を確認する。その後、ディスクプレーヤ１１のＣＰＵ１０４は、ＤＤＣ２３（図２参照）を用いて、テレビ受信機１２からＥ−ＥＤＩＤ、従ってＷＣＧ画像データの付加情報の伝送方式情報を読み出し、テレビ受信機１２が対応するＷＣＧ画像データの付加情報の伝送方式を認識する。
【０１０２】
図１に示すＡＶシステム１０において、ディスクプレーヤ１１は、ＷＣＧ画像データをテレビ受信機１２に伝送する際、上述したようにテレビ受信機１２から読み出したＷＣＧ画像データの付加情報の伝送方式情報に基づいて、テレビ受信機１２が対応可能なＷＣＧ画像データの付加情報の伝送方式のうちいずれかを選択する。そして、ディスクプレーヤ１１は、テレビ受信機１２に、現在伝送しているＷＣＧ画像データの付加情報とその付加情報の伝送方式情報をともに伝送する。
【０１０３】
この場合、ディスクプレーヤ１１は、テレビ受信機１２に送信するＷＣＧ画像データ（映像信号）のブランキング期間にその情報を挿入することで、当該情報をテレビ受信機１２に送信する。ここで、ディスクプレーヤ１１は、例えば、ＨＤＭＩのＶｅｎｄｏｒ Ｓｐｅｃｉｆｉｃ ＩｎｆｏＦｒａｍｅ（以降、「ＶＳＩＦ」と呼ぶ）パケット等を用いて、現在伝送しているＷＣＧ画像データの付加情報とその付加情報の伝送方式情報を、ＷＣＧ画像データのブランキング期間に挿入する。ＶＳＩＦパケットは、上述したデータアイランド区間１９に配置される。
【０１０４】
［ＶＳＩＦパケットのデータ構造例］
図９は、ＶＳＩＦパケットのデータ構造例を示している。ＨＤＭＩでは、このＶＳＩＦパケットにより、画像に関する付帯情報をソース機器からシンク機器に伝送可能となっている。第０バイトにデータのチェックサムが定義されている。第１バイトから第３バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１０５】
第４バイトの第７ビットには、第４バイト以降の第５バイトから第７＋Ｎバイトの３Ｄデータが存在するかどうかを示すフラグが指定される。続く第６ビットには、ＷＣＧ画像の付加情報が第８＋Ｎバイト以降に存在するかどうかを示す“ＷＣＧ＿Ｆｏｒｍａｔ”フラグが指定される。“ＷＣＧ＿Ｆｏｒｍａｔ”フラグがＴｒｕｅ「１」の場合は、第８＋Ｎバイトから第１８＋Ｎ＋２＊ＭバイトにＷＣＧ画像に関する付帯情報が指定される。“ＷＣＧ＿Ｆｏｒｍａｔ”フラグがＦａｌｓｅ「０」の場合は、ＶＳＩＦパケットによるＷＣＧ画像の付加情報の伝送ではないことを示す。
【０１０６】
第５ビットから第４ビットには、ＶＳＩＦパケット以外のＷＣＧ画像の付加情報の伝送方式情報“ＷＣＧ＿Ｔｙｐｅ”を示す。「０ｂ１０」の場合は、ＧＢＤパケットによる伝送を、「０ｂ０１」の場合は、高速バスインタフェース１１ｃによる伝送を示す。
【０１０７】
第８＋Ｎバイトから第９＋Ｎバイトには、白色度点のＸ軸ベクトル値“Ｘ＿Ｖｅｃｔｏｒ＿Ｗｈｉｔｅ”を指定する。第１０＋Ｎバイトから第１１＋Ｎバイトには、白色度点のＹ軸ベクトル値“Ｘ＿Ｖｅｃｔｏｒ＿Ｗｈｉｔｅ”を指定する。第１２＋Ｎバイトから第１３＋Ｎバイトには、白色度点の輝度値“Ｌｕｍｉｎａｎｃｅ＿Ｗｈｉｔｅ＿Ｖａｌｕｅ”を指定する。
【０１０８】
第１４＋Ｎバイトには、指定される色度点の頂点の数“Ｎｕｍｂｅｒ＿Ｖｅｒｔｉｃｅｓ（Ｍ）”を指定する。色度点の頂点の数は３以上となる。第１５＋Ｎバイトから第１８＋Ｎ＋２＊Ｍバイトには、それぞれの色度点のＸ軸ベクトル値“Ｘ＿Ｖｅｃｔｏｒ＿Ｎ”とＹ軸ベクトル値“Ｙ＿Ｖｅｃｔｏｒ＿Ｎ”の情報を設定する。
【０１０９】
シンク機器（この実施の形態では、テレビ受信機１２）は、第４バイトの第６ビットから第４ビットのいずれかのビットがＴｒｕｅ「１」に設定されている場合に、ＷＣＧ画像データの付加情報とその伝送方式が判定できる。
【０１１０】
図１０は、“Ｘ＿Ｖｅｃｔｏｒ＿Ｎ”のデータ構造例を示している。ＸＹＺ座標による“Ｘ＿Ｖｅｃｔｏｒ＿Ｗｈｉｔｅ”、“Ｙ＿Ｖｅｃｔｏｒ＿Ｗｈｉｔｅ”、“Ｘ＿Ｖｅｃｔｏｒ＿Ｎ”、および“Ｙ＿Ｖｅｃｔｏｒ＿Ｎ”は、０から１の正値を取る。そのため、色精度が８ビットの場合は、整数２ビットと端数５ビットの合計７ビットで現わすことができるため、必要となるバイト数はそれぞれ１バイトとなる。
【０１１１】
また、色精度が１０ビットの場合は、整数２ビットと端数７ビットの合計９ビットで現わすことができるため、必要となるバイト数はそれぞれ２バイトとなる。同様に、色精度が１２ビットの場合は、整数２ビットと端数９ビットの合計１１ビットで現わすことができるため、必要となるバイト数はそれぞれ２バイトとなる。図１０のデータ構造例は、色精度が１２ビットの場合を示している。
【０１１２】
［ＧＢＤパケットのデータ構造例］
図１１は、ＧＢＤパケットのデータ構造例を示している。ＨＤＭＩでは、このＧＢＤパケットにより、ＷＣＧ画像に関する付帯情報をソース機器からシンク機器に伝送可能となっている。第０バイトの第７ビットには、ガンマ情報の記述方法を“Ｆｏｒｍａｔ＿Ｆｌａｇ”に設定する。色度点の頂点境界を記述する場合は「０」を設定する。第０バイトの第６ビットには、以下に続くガンマ情報に面データが存在するか否かのフラグ“Ｆａｃｅｔ＿Ｍｏｄｅ”が設定される。
【０１１３】
現在のＨＤＭＩ規格では面データの伝送規定が未定のため、この第６ビットは「０」を設定する。第０バイトの第５ビットから第４ビットには、ガンマ情報の精度“ＧＢＤ＿Ｃｏｌｏｒ＿Ｐｒｅｃｉｓｉｏｎ”を設定する。第４ビットから第３ビットが「０ｂ００」に設定された場合は、その色精度は８ビットとなる。また、「０ｂ０１」に設定された場合は、その色精度は１０ビットに、「０ｂ１０」に設定された場合は、その色精度は１２ビットとなる。
【０１１４】
第２ビットから第０ビットには、色空間の情報“ＧＢＤ＿Ｃｏｌｏｒ＿Ｓｐａｃｅ”を設定する。第２ビットから第０ビットが「０ｂ０００」に設定された場合、その色空間はＩＴＵ-Ｒ  ＢＴ．７０９（ｓＲＧＢ）となる。第２ビットから第０ビットが「０ｂ００１」に設定された場合、その色空間はＩＥＣ６１９６６−２−４−ＳＤ（ｘｖＹＣＣ６０１）に、「０ｂ０１０」に設定された場合、その色空間はＩＥＣ６１９６６−２−４−ＨＤ（ｘｖＹＣＣ７０９）に、「０ｂ０１１」に設定された場合、その色空間はＸＹＺとなる。本発明は、色空間ＸＹＺによる色度点等の情報の伝送を新たに規定するため、第１バイト以降のデータ構造を以下の様に提案するものである。
【０１１５】
第１バイトから第２バイトには、白色度点のＸ軸ベクトル値“Ｘ＿Ｖｅｃｔｏｒ＿Ｗｈｉｔｅ”を指定する。第３バイトから第４バイトには、白色度点のＹ軸ベクトル値“Ｘ＿Ｖｅｃｔｏｒ＿Ｗｈｉｔｅ”を指定する。第５バイトから第６バイトには、白色度点の輝度値“Ｌｕｍｉｎａｎｃｅ＿Ｗｈｉｔｅ＿Ｖａｌｕｅ”を指定する。第５バイトには、指定される色度点の頂点の数“Ｎｕｍｂｅｒ＿Ｖｅｒｔｉｃｅｓ（Ｎ）”を指定する。色度点の頂点の数は３以上となる。
【０１１６】
第６バイトから第２＊Ｎ＋５バイトには、それぞれの色度点のＸ軸ベクトル値“Ｘ＿Ｖｅｃｔｏｒ＿Ｎ”とＹ軸ベクトル値“Ｙ＿Ｖｅｃｔｏｒ＿Ｎ”の情報を設定する。“Ｘ＿Ｖｅｃｔｏｒ＿Ｗｈｉｔｅ”、“Ｙ＿Ｖｅｃｔｏｒ＿Ｗｈｉｔｅ”、“Ｘ＿Ｖｅｃｔｏｒ＿Ｎ”、および“Ｙ＿Ｖｅｃｔｏｒ＿Ｎ”のデータ構造は、上記ＶＳＩＦデータ構造で説明した図１０と同様の構造をとる。
【０１１７】
なお、ここでは、ＶＳＩＦパケットを用いてＷＣＧ画像データの付加情報およびその付加情報の伝送方式情報を伝送する方法を提案しているが、例えばＡＶ（Auxiliary Video） ＩｎｆｏＦｒａｍｅのように、これ以外のデータパケットでも実現可能なため、この方法に限定はされない。ただし、テレビ受信機（シンク機器）１２のＷＣＧ画像データの付加情報の伝送方式情報をＥ−ＥＤＩＤデータ領域のＶＳＤＢ領域を用いてディスクプレーヤ（ソース機器）１１に伝送する場合は、ディスクプレーヤ１１のＷＣＧに関する情報は、ＶＳＩＦパケットで伝送することが望ましい。
【０１１８】
［機器接続時のソース機器の処理例］
次に、図１に示すＡＶシステム１０において、ディスクプレーヤ（ソース機器）１１における、テレビ受信機（シンク機器）１２の接続時の処理について、図１２のフローチャートを参照して説明する。
【０１１９】
ディスクプレーヤ１１は、ステップＳＴ１において、処理を開始し、その後に、ステップＳＴ２の処理に移る。このステップＳＴ２において、ディスクプレーヤ１１は、ＨＰＤ信号がハイレベル「Ｈ」にあるか否かを判定する。ＨＰＤ信号がハイレベル「Ｈ」にないとき、ディスクプレーヤ１１にテレビ受信機（シンク機器）１２が接続されていない。このとき、ディスクプレーヤ１１は、直ちに、ステップＳＴ８に進み、処理を終了する。
【０１２０】
ＨＰＤ信号がハイレベル「Ｈ」にあるとき、ディスクプレーヤ１１は、ステップＳＴ３において、テレビ受信機１２のＥ−ＥＤＩＤを読み出す。そして、ディスクプレーヤ１１は、ステップＳＴ４において、ＷＣＧ画像データの付加情報の伝送方式情報があるか否かを判定する。ＷＣＧ画像データの付加情報の伝送方式情報がないとき、ディスクプレーヤ１１は、ステップＳＴ７において、ＶＳＩＦパケットにＷＣＧ画像データの付加情報の非伝送を示すデータを設定し、その後に、ステップＳＴ８に進み、処理を終了する。ここで、ＷＣＧ画像データの付加情報の非伝送を示すデータの設定とは、ＶＳＩＦパケット（図９参照）の第４バイトの第６ビットから第４ビットをＦａｌｓｅ「０」に設定することを意味する。
【０１２１】
また、ステップＳＴ４でＷＣＧ画像データの付加情報の伝送方式情報があるとき、ディスクプレーヤ１１は、ステップＳＴ５において、ＷＣＧ画像データの付加情報の伝送方式を決定する。そして、ディスクプレーヤ１１は、ステップＳＴ６において、ＶＳＩＦパケットに、ＷＣＧ画像データの付加情報の伝送方式を示すデータを設定し、伝送方式に応じたパケットに付加情報を設定する。その後に、ステップＳＴ８に進み、処理を終了する。ここで、ＷＣＧ画像データの付加情報の伝送方式を示すデータの設定とは、ＶＳＩＦパケット（図９参照）の第４バイトの第６ビットから第４ビットのうちいずれかのビットをＴｒｕｅ「１」に設定することを意味する。
【０１２２】
［シンク機器のＷＣＧ画像データの付加情報受信の処理例］
次に、図１に示すＡＶシステム１０において、テレビ受信機（シンク機器）１２における、ディスクプレーヤ（ソース機器）１１からＷＣＧ画像データの受信が開始された時の処理について、図１３のフローチャートを参照して説明する。
【０１２３】
テレビ受信機１２は、ステップＳＴ１０において、処理を開始し、その後に、ステップＳＴ１１の処理に移る。このステップＳＴ１１において、テレビ受信機１２は、ディスクプレーヤ１１から伝送されるＶＳＩＦパケットの第４バイトの第６ビットから第４ビットのいずれかがＴｒｕｅ「１」に設定されているか否かを判定する。第４バイトの第６ビットから第４ビットがＴｒｕｅ「１」に設定されていない場合は、ＷＣＧ画像データの付加情報の非伝送と判断し、ステップＳＴ１８に進み、処理を終了する。
【０１２４】
ステップＳＴ１１で第４バイトの第６ビットから第４ビットのいずれかがＴｒｕｅ「１」に設定されている場合は、テレビ受信機１２は、次のステップＳＴ１２に進む。このステップＳＴ１２において、テレビ受信機１２は、第４バイトの第６ビットがＴｒｕｅ「１」に設定されているか否かを判定する。第６ビットがＴｒｕｅ「１」に設定されている場合は、テレビ受信機１２は、ＷＣＧ画像データの付加情報がＶＳＩＦパケットを用いて伝送されると判断し、ステップＳＴ１３に進む。第６ビットがＦａｌｓｅ「０」に設定されている場合は、テレビ受信機１２は、ステップＳＴ１４に進む。
【０１２５】
ステップＳＴ１３において、テレビ受信機１２は、ＶＳＩＦパケットの第８＋Ｎバイトから第１８＋Ｎ＋２＊Ｍバイトを受信し、次のステップＳＴ１７に進む。
【０１２６】
ステップＳＴ１４において、テレビ受信機１２は、第４バイトの第５ビットがＴｒｕｅ「１」に設定されているか否かを判定する。第５ビットがＴｒｕｅ「１」に設定されている場合は、テレビ受信機１２は、ＷＣＧ画像データの付加情報がＧＢＤパケットを用いて伝送されると判断し、ステップＳＴ１５に進む。第５ビットがＦａｌｓｅ「０」に設定されている場合は、テレビ受信機１２は、ステップＳＴ１６に進む。
【０１２７】
ステップＳＴ１５において、テレビ受信機１２は、ＧＢＤパケットの第１バイトから第１１＋２＊（Ｎ−１）バイトを受信し、次のステップＳＴ１７に進む。
【０１２８】
ステップＳＴ１６において、テレビ受信機１２は、ＨＥＣ伝送路で伝送される付加情報パケットを受信し、次のステップＳＴ１７に進む。
【０１２９】
ステップＳＴ１７において、テレビ受信機１２は、受信した付加情報を用いてＷＣＧ画像の色域処理を実施し、ステップＳＴ１８に進み、処理を終了する。
【０１３０】
以上説明したように、図１に示すＡＶシステム１０においては、ディスクプレーヤ１１からテレビ受信機１２に、ＷＣＧ画像データがＨＤＭＩケーブル１３を介して送信されると共に、このＷＣＧ画像データの付加情報およびこの付加情報の伝送方式情報が同じＨＤＭＩケーブル１３を介して送信されるものであり、広色域画像データの伝送を良好に行うことができる。例えば、テレビ受信機１２は、受信される伝送方式情報に基づいて、ＷＣＧ画像データの付加情報を確実に受信することが可能となる。
【０１３１】
また、図１に示すＡＶシステム１０においては、ディスクプレーヤ１１は、ＷＣＧ画像データの付加情報を送信する際に、送信するＷＣＧ画像データの付加情報の伝送方式を、テレビ受信機１２が対応可能なＷＣＧ画像の付加情報の伝送方式から選択するものである。そのため、テレビ受信機１２は、ディスクプレーヤ１１から送られてくる広色域画像データの付加情報を、確実に受信することが可能となる。
【０１３２】
＜２．変形例＞
なお、上述実施の形態においては、ディスクプレーヤ１１は、ＷＣＧ画像データの付加情報の伝送方式情報を、ＶＳＩＦパケットを用いて、画像データ（映像信号）のブランキング期間に挿入することで、テレビ受信機１２に送信している。
【０１３３】
例えば、ディスクプレーヤ１１は、ＷＣＧ画像データの付加情報の伝送方式情報を、ＨＤＭＩケーブル１３のリザーブライン２７およびＨＰＤライン２５で構成される双方向通信路を介して、テレビ受信機１２に送信するようにしてもよい。
【０１３４】
また、上述実施の形態においては、テレビ受信機１２のＥ−ＥＤＩＤには、当該テレビ受信機１２が対応するＷＣＧ画像データの付加情報の伝送方式情報が含まれており、ディスクプレーヤ１１は、ＨＤＭＩケーブル１３のＤＤＣ２３を介してＥ−ＥＤＩＤを読み出すことで、テレビ受信機１２が対応するＷＣＧ画像データの付加情報の伝送方式情報を取得するようにしている。
【０１３５】
しかし、ディスクプレーヤ１１は、テレビ受信機１２が対応するＷＣＧ画像の付加情報の伝送方式情報を、テレビ受信機１２から、ＨＤＭＩケーブル１３のリザーブライン２７およびＨＰＤライン２５で構成される双方向通信路を介して受信するようにしてもよい。
【０１３６】
また、上述実施の形態においては、ＨＤＭＩの伝送路を用いるものを示している。しかし、ベースバンドデジタルインタフェースとしては、ＨＤＭＩの他に、ＭＨＬ（Mobile High-definition Link）、ＤＶＩ（Digital Visual Interface）インタフェース、６０ＧＨｚミリ波を利用したワイヤレスインタフェース等がある。本技術は、これらのデジタルインタフェースで、ＷＣＧ画像の付加情報を伝送する場合にも同様に適用できる。
【０１３７】
また、上述実施の形態においては、送信装置（ソース機器）としてディスクプレーヤ１１を使用し、受信装置（シンク機器）としてテレビ受信機１２を使用した例としたが、その他の送信装置、受信装置を使用するものにも、本技術を同様に適用できることは勿論である。
【０１３８】
図１４は、送信装置（ソース機器）としてのデジタルカメラ３１０の構成例を示している。このデジタルカメラ３１０は、ＨＤＭＩ端子３１１と、ＨＤＭＩ送信部３１２と、高速バスインタフェース３１３と、イメージャ３２１と、イメージャドライバ３２２と、撮像信号処理回路３２３と、カメラ制御ＣＰＵ３２４と、静止画像信号処理回路３２５と、動画像信号処理回路３２６と、記録再生部３２８と、メモリカード３２９を有している。
【０１３９】
また、このデジタルカメラ３１０は、システム制御ＣＰＵ３３０と、フラッシュＲＯＭ３３１と、ＳＤＲＡＭ３３２と、ユーザ操作部３３３と、マイクロホン３３４と、音声信号処理回路３３５と、グラフィック生成回路３４１と、パネル駆動回路３３６と、表示パネル３３７と、表示制御部３４２と、電源部３４３を有している。
【０１４０】
イメージャ３２１は、例えば、ＣＭＯＳ撮像素子、あるいはＣＣＤ撮像素子により構成される。イメージャドライバ３２２は、イメージャ３２１を駆動する。撮像信号処理回路３２３は、イメージャ３２１で得られる撮像信号を処理して、被写体に対応した画像データ（撮像画像データ）を生成する。カメラ制御ＣＰＵ３２４は、イメージャドライバ３２２および撮像信号処理回路３２３の動作を制御する。なお、この例では、システム制御ＣＰＵ３３０の他にカメラ制御ＣＰＵ３２４を有する例を示しているが、これらは１つのチップになっていても、複数コアであってもよい。
【０１４１】
静止画像信号処理回路３２５は、静止画の撮像時、撮像信号処理回路３２３で得られた画像データに対して、例えばＪＰＥＧ（Joint Photographic Experts Group）方式の圧縮符号化処理を施して、静止画像データを生成する。
【０１４２】
音声信号処理回路３３５は、マイクロホン３３４で得られた音声信号に対して、Ａ／Ｄ変換等の処理を施して、撮像画像データに対応した音声データを得る。動画像信号処理回路３２６は、動画の撮像時、撮像信号処理回路３２３で得られた画像データに対して、音声信号処理回路３２５で得られた音声データと共に、記録メディアフォーマットに準じた圧縮符号化等の処理を施し、音声データが付加された動画像データを生成する。
【０１４３】
記録再生部３２８は、静止画の撮像時、静止画信号処理回路３２５で生成された静止画像データを、装填されたメモリカード３２９に、あるいは、システム制御ＣＰＵ３３０を経由してフラッシュＲＯＭ３３１に書き込む。また、記録再生部３２８は、動画の撮像時、動画像信号処理回路３２６で生成された動画像データを、装填されたメモリカード３２９に、あるいは、システム制御ＣＰＵ３３０を経由してフラッシュＲＯＭ３３１に書き込む。さらに、記録再生部３２８は、静止画または動画の再生時、メモリカード３２９等から動画像データを読み出し、復号化処理等を施して、再生画像データを得る。
【０１４４】
グラフィック生成回路３４１は、撮像信号処理回路３２３から出力された画像データ、または記録再生部３２８で生成された再生画像データに対して、必要に応じてグラフィックスデータの重畳処理等を行う。パネル駆動回路３３６は、グラフィック生成回路３４１の出力画像データに基づいて、表示パネル３３７を駆動し、当該表示パネル３３７に撮像画像（動画像）または再生画像（静止画像、動画像）を表示する。表示制御部３４２は、グラフィクス生成回路３４１やパネル駆動回路３３６を制御して、表示パネル３３７における表示を制御する。表示パネル３３７は、例えば、ＬＣＤ(Liquid Crystal Display)、有機ＥＬ（Organic Electro-Luminescence）パネル等で構成されている。
【０１４５】
なお、この例では、システム制御ＣＰＵ３３０の他に表示制御部３４２を有する例を示しているが、表示パネル３３７における表示をシステム制御ＣＰＵ３３０が直接制御するようにしてもよい。また、システム制御ＣＰＵ３３０と表示制御部３４２は、１つのチップになっていても、複数コアであってもよい。電源部３４３は、デジタルカメラ３１０の各部に電源を供給する。この電源部３４３は、ＡＣ電源であっても、電池（蓄電池、乾電池）であってもよい。
【０１４６】
システム制御ＣＰＵ３３０は、静止画像信号処理回路３２５、動画像信号処理回路３２６、記録再生部３２８等の動作を制御する。システム制御ＣＰＵ３３０には、フラッシュＲＯＭ３３１、ＳＤＲＡＭ３３２およびユーザ操作部３３３が接続されている。フラッシュＲＯＭ３３１は、システム制御ＣＰＵ３３０の制御プログラム等を記憶している。また、ＳＤＲＡＭ３３２は、システム制御ＣＰＵ３３０の制御処理で必要なデータの一時記憶等に用いられる。
【０１４７】
ユーザ操作部３３３は、ユーザインタフェースを構成している。なお、このユーザ操作部３３３は、例えば、スイッチ、ホイール、近接/タッチにより指示入力を行うタッチパネル部、マウス、キーボード、カメラで指示入力を検出するジェスチャ入力部、音声により指示入力を行う音声入力部、さらにはリモートコントロールなどであってもよい。システム制御ＣＰＵ３３０は、ユーザ操作部３３３の操作状態を判断し、デジタルカメラ３１０の動作を制御する。ユーザは、ユーザ操作部３３３により、撮像（記録）操作、再生操作の他に、各種付加情報の入力操作等を行うことができる。
【０１４８】
ＨＤＭＩ送信部（ＨＤＭＩソース）３１２は、ＨＤＭＩに準拠した通信により、ベースバンドの画像（映像）と音声のデータを、ＨＤＭＩ端子３１１からＨＤＭＩケーブルに送出する。ＨＤＭＩ送信部３１２の詳細は後述する。高速バスインタフェース３１３は、ＨＤＭＩケーブルを構成する所定のラインを用いた双方向通信のインタフェースである。この高速バスインタフェース３１３は、システム制御ＣＰＵ３３０とＨＤＭＩ端子３１１との間に挿入されている。
【０１４９】
この高速バスインタフェース３１３は、システム制御ＣＰＵ３３０から供給される送信データを、ＨＤＭＩ端子３１１からＨＤＭＩケーブルに送出する。また、この高速バスインタフェース３１３は、ＨＤＭＩケーブルからＨＤＭＩ端子３１１を介して相手側の機器から受信された受信データを、システム制御ＣＰＵ３３０に供給する。
【０１５０】
図１４に示すデジタルカメラ３１０の動作を簡単に説明する。イメージャ３２１で得られた撮像信号は撮像信号処理回路３２３に供給されて処理され、この撮像信号処理回路３２３からは被写体に対応した画像データ（撮像画像データ）が得られる。静止画撮像時には、静止画像信号処理回路３２５では、撮像信号処理回路３２３から出力される画像データに対して、圧縮符号化処理等が施されて、静止画像データが生成される。この静止画像データは、記録再生部３２８により、メモリカード３２９等に記録される。
【０１５１】
また、動画撮像時には、動画像信号処理回路３２６では、撮像信号処理回路３２３から出力される画像データに対して、音声信号処理回路３３５から出力される音声データと共に、記録メディアフォーマットに準じた圧縮符号化等の処理が施され、音声データが付加された動画像データが生成される。この動画像データは、記録再生部３２８により、メモリカード３２９等に記録される。
【０１５２】
静止画像の再生時には、メモリカード３２９等から静止画像データが読み出され、静止画像信号処理回路３２５で復号化等の処理が施されて再生画像データ得られる。この再生画像データはシステム制御ＣＰＵ３３０および動画像信号処理回路３２６を介してパネル駆動回路３３６に供給され、表示パネル３３７に、静止画像が表示される。
【０１５３】
動画像の再生時には、記録再生回路３２８によりメモリカード３２９等から動画像データが読み出され、動画像信号処理回路３２６で復号化等の処理が施されて再生画像データが得られる。そして、再生画像データはパネル駆動回路３３６に供給され、表示パネル３３７に、動画像が表示される。
【０１５４】
メモリカード３２９等に記録されている静止画像データ、あるいは動画像データに係る画像、音声のデータを外部機器（シンク機器）に送信する場合、あるいはメモリカード３２９から静止画画像データ、あるいは動画像データが読み出されて処理回路３２５，３２６に供給され、復号化等の処理が施されて、ベースバンドの画像、音声のデータが得られる。そして、このベースバンドの画像、音声のデータがＨＤＭＩ送信部３１２に供給され、ＨＤＭＩ端子３１１に接続されたＨＤＭＩケーブルに送出される。
【０１５５】
また、撮像信号処理回路３２３、音声信号処理回路３３５から直接出力される静止画像データ、あるいは動画像データに係る画像、音声のデータを外部機器（シンク機器）に送信する場合、これらのベースバンドの画像、音声のデータがＨＤＭＩ送信部３１２に供給され、ＨＤＭＩ端子３１１に接続されたＨＤＭＩケーブルに送出される。
【０１５６】
また、上述実施の形態においては、広色域画像データとしてＷＣＧ画像データを取り扱う例を示した。しかし、本技術は、ＷＣＧ画像データに限定されるものではなく、同様の広色域画像データを取り扱う送信装置（ソース機器）および受信装置（シンク機器）に適用できることは勿論である。
【０１５７】
また、上述実施の形態においては、広色域画像データがＷＣＧ画像データである例を示した。しかし、本技術は、その他の広色域画像データを取り扱うソース機器、シンク機器に対しても、同様に適用できることは勿論である。
【０１５８】
また、本技術は、以下のような構成を取ることもできる。
（１）広色域画像データを、伝送路を介して外部機器に送信するデータ送信部と、
上記データ送信部で送信される広色域画像データの付加情報および該付加情報の伝送方式情報を、上記伝送路を介して上記外部機器に送信する情報送信部とを備える
送信装置。
（２）上記データ送信部は、上記外部機器に、上記広色域画像データを、差動信号により、上記伝送路を介して送信する
前記（１）に記載の送信装置。
（３）上記情報送信部は、上記データ送信部で送信される広色域画像データの付加情報の伝送方式情報を、該広色域画像データのブランキング期間に挿入することで、上記外部機器に送信する
前記（２）に記載の送信装置。
（４）上記情報送信部は、上記データ送信部で送信される広色域画像データの付加情報を、該広色域画像データのブランキング期間に挿入することで、上記外部機器に送信する
前記（２）または（３）に記載の送信装置。
（５）上記情報送信部は、上記伝送路の所定ラインを用いて構成される双方向通信路を介して、上記データ送信部で送信される広色域画像データの付加情報を上記外部機器に送信する
前記（２）または（３）に記載の送信装置。
（６）上記双方向通信路は一対の差動伝送路であり、該一対の差動伝送路のうち少なくとも一方は直流バイアス電位によって上記外部機器から接続状態の通知を受ける機能を有する
前記（５）に記載の送信装置。
（７）上記広色域画像データの付加情報は、該広色域画像データの白色度点の輝度レベル情報、白色度点のＸＹＺ座標によるベクトル値、ＲＧＢ色度点のＸＹＺ座標によるベクトル値、ＲＧＢ以外の１つ以上の色度点のＸＹＺ座標によるベクトル値の少なくとも１つを含む
前記（１）から（６）のいずれかに記載の送信装置。
（８）上記外部機器から上記伝送路を介して送られてくる、該外部機器が対応可能な広色域画像データの付加情報の伝送方式情報を受信する伝送方式情報受信部と、
上記伝送方式情報受信部で受信された伝送方式情報に基づいて、上記外部機器が対応可能な広色域画像データの付加情報の伝送方式から所定の伝送方式を選択する伝送方式選択部とをさらに備え、
上記情報送信部は、上記広色域画像データの付加情報を、伝送方式選択部で選択された伝送方式で、上記伝送路を介して上記外部機器に送信する
前記（１）から（７）のいずれかに記載の送信装置。
（９）データ送信部により、広色域画像データを、伝送路を介して外部機器に送信するデータ送信ステップと、
上記データ送信ステップで送信される上記広色域画像データの付加情報および該付加情報の伝送方式情報を、上記伝送路を介して上記外部機器に送信する情報送信ステップとを有する
広色域画像データ送信方法。
（１０）コンピュータを、
広色域画像データを、伝送路を介して外部機器に送信するデータ送信手段と、
上記データ送信手段で送信される上記広色域画像データの付加情報および該付加情報の伝送方式情報を、上記伝送路を介して上記外部機器に送信する情報送信手段と
して機能させるプログラム。
（１１）外部機器から、伝送路を介して、広色域画像を表示するための広色域画像データを受信するデータ受信部と、
上記外部機器から、上記データ受信部で受信される広色域画像データの付加情報の伝送方式情報を受信すると共に、該伝送方式情報に基づいて該広色域画像データの付加情報を受信する情報受信部と、
上記情報受信部で受信された広色域画像データの付加情報を用いて、上記データ受信部で受信された広色域画像データを処理するデータ処理部とを備える
受信装置。
（１２）上記データ受信部は、上記外部機器から、差動信号により、上記伝送路を介して、上記広色域画像データを受信する
前記（１１）に記載の受信装置。
（１３）上記情報受信部は、上記データ受信部で受信された広色域画像データのブランキング期間から、該広色域画像データの付加情報の伝送方式情報を抽出する
前記（１２）に記載の受信装置。
（１４）上記情報受信部は、上記データ受信部で受信された広色域画像データのブランキング期間から、該広色域画像データの付加情報を抽出する
前記（１２）または（１３）に記載の受信装置。
（１５）上記情報受信部は、上記データ受信部で受信された上記広色域画像データの付加情報を、上記外部機器から、上記伝送路の所定ラインを用いて構成される双方向通信路を介して受信する
前記（１２）または（１３）に記載の受信装置。
（１６）上記双方向通信路は一対の差動伝送路であり、該一対の差動伝送路のうち少なくとも一方は直流バイアス電位によって上記外部機器に接続状態を通知する機能を有する
前記（１５）に記載の受信装置。
（１７）自身が対応可能な広色域画像データの付加情報の伝送方式情報を記憶しておく伝送方式情報記憶部と、
上記伝送方式情報記憶部に記憶されている伝送方式情報を、上記伝送路を介して上記外部機器に送信する伝送方式情報送信部とをさらに備える
前記（１１）から（１６）のいずれかに記載の受信装置。
（１８）上記伝送方式情報記憶部に記憶されている伝送方式情報は、ＧＢＤパケット情報、ＶＳＩＦパケット情報、ＡＶＩＦパケット情報、ＨＥＣパケット情報の少なくとも１つである
前記（１７）に記載の受信装置。
（１９）データ受信部により、外部機器から、上記伝送路を介して、広色域画像データを受信するデータ受信ステップと、
上記外部機器から、上記データ受信ステップで受信される広色域画像データの付加情報の伝送方式情報を受信すると共に、該伝送方式情報に基づいて該広色域画像データの付加情報を受信する情報受信ステップと、
上記情報受信ステップで受信された広色域画像データの付加情報を用いて、上記データ受信ステップで受信された広色域画像データを処理するデータ処理ステップとを有する
広色域画像データ受信方法。
（２０）コンピュータを、
外部機器から、伝送路を介して、広色域画像を表示するための広色域画像データを受信するデータ受信手段と、
上記外部機器から、上記データ受信手段で受信される広色域画像データの付加情報の伝送方式情報を受信すると共に、該伝送方式情報に基づいて該広色域画像データの付加情報を受信する情報受信手段と、
上記情報受信手段で受信された広色域画像データの付加情報を用いて、上記データ受信手段で受信された広色域画像データを処理するデータ処理手段と
して機能させるプログラム。
【符号の説明】
【０１５９】
１０・・・・ＡＶシステム
１１・・・・ディスクプレーヤ
１１ａ・・・ＨＤＭＩ端子
１１ｂ・・・ＨＤＭＩ送信部
１１ｃ・・・高速バスインタフェース
１２・・・・テレビ受信機
１２ａ・・・ＨＤＭＩ端子
１２ｂ・・・ＨＤＭＩ受信部
１２ｃ・・・高速バスインタフェース
１３・・・・ＨＤＭＩケーブル
１４・・・・有効画像区間
１５・・・・水平帰線区間
１６・・・・垂直帰線区間
１７・・・・ビデオデータ区間
１８・・・・データアイランド区間
１９・・・・コントロール区間
２１・・・・ＨＤＭＩトランスミッタ
２２・・・・ＨＤＭＩレシーバ
２３・・・・ＤＤＣライン
２４・・・・ＣＥＣライン
２５・・・・ＨＰＤライン
２６・・・・電源ライン
２７・・・・リザーブライン
１０４・・・ＣＰＵ
１０５・・・内部バス
１０６・・・フラッシュＲＯＭ
１０７・・・ＳＤＲＡＭ
１０８・・・リモコン受信部
１０９・・・リモコン送信機
１１０・・・ＳＡＴＡインタフェース
１１１・・・ＢＤドライブ
１１２・・・イーサネットインタフェース
１１３・・・ネットワーク端子
１１４・・・ＭＰＥＧデコーダ
１１５・・・グラフィック生成回路
１１６・・・映像出力端子
１１７・・・音声出力端子
１２１・・・表示制御部
１２２・・・パネル駆動回路
１２３・・・表示パネル
１２４・・・電源部
２０５・・・アンテナ端子
２０６・・・デジタルチューナ
２０７・・・ＭＰＥＧデコーダ
２０８・・・映像信号処理回路
２０９・・・グラフィック生成回路
２１０・・・パネル駆動回路
２１１・・・表示パネル
２１２・・・音声信号処理回路
２１３・・・音声増幅回路
２１４・・・スピーカ
２２０・・・内部バス
２２１・・・ＣＰＵ
２２２・・・フラッシュＲＯＭ
２２３・・・ＤＲＡＭ
２２４・・・イーサネットインタフェース
２２５・・・ネットワーク端子
２２６・・・リモコン受信部
２２７・・・リモコン送信機
２３１・・・表示制御部
２３２・・・電源部
３１０・・・デジタルカメラ
【図１】
2015106761.tif 000003
【図２】
2015106761.tif 000004
【図３】
2015106761.tif 000005
【図４】
2015106761.tif 000006
【図５】
2015106761.tif 000007
【図６】
2015106761.tif 000008
【図７】
2015106761.tif 000009
【図８】
2015106761.tif 000010
【図９】
2015106761.tif 000011
【図１０】
2015106761.tif 000012
【図１１】
2015106761.tif 000013
【図１２】
2015106761.tif 000014
【図１３】
2015106761.tif 000015
【図１４】
2015106761.tif 000016